【手続補正書】
【提出日】令和1年7月30日(2019.7.30)
【手続補正１】
【補正対象書類名】特許請求の範囲
【補正対象項目名】請求項３
【補正方法】変更
【補正の内容】
【請求項３】
請求項２記載のコネクタ装置であって、
前記ハウジングには、軸部が形成されており、
前記相手側ハウジングには、相手側軸部が形成されており、
前記軸部及び前記相手側軸部の一方は、回転軸であり、
前記軸部及び前記相手側軸部の残りの一方は、軸受であり、
前記軸部と前記相手側軸部とを組み合わせることにより、前記コネクタは、前記相手側コネクタに対して前記第１状態と前記第３状態との間の状態をとりつつ前記回転軸の周りに回転可能となっており、
前記コネクタが前記第１状態と前記第３状態との間の状態であるとき、前記コネクタは前記回転軸の軸方向と直交する上下方向において前記相手側コネクタの上方に位置している
コネクタ装置。
【手続補正２】
【補正対象書類名】特許請求の範囲
【補正対象項目名】請求項５
【補正方法】変更
【補正の内容】
【請求項５】
請求項１から請求項４までのいずれかに記載のコネクタ装置であって、
前記第１解除部は、第１操作部を有しており、
前記第２解除部は、第２操作部を有しており、
前記阻止部は、前記コネクタが前記第１状態にあるときに、前記第１操作部と前記第２操作部の間において前記操作方向と交差するように設けられた梁である
コネクタ装置。
【手続補正３】
【補正対象書類名】明細書
【補正対象項目名】００１１
【補正方法】変更
【補正の内容】
【００１１】
本発明は、第３のコネクタ装置として、第２のコネクタ装置であって、
前記ハウジングには、軸部が形成されており、
前記相手側ハウジングには、相手側軸部が形成されており、
前記軸部及び前記相手側軸部の一方は、回転軸であり、
前記軸部及び前記相手側軸部の残りの一方は、軸受であり、
前記軸部と前記相手側軸部とを組み合わせることにより、前記コネクタは、前記相手側コネクタに対して前記第１状態と前記第３状態との間の状態をとりつつ前記回転軸の周りに回転可能となっており、
前記コネクタが前記第１状態と前記第３状態との間の状態であるとき、前記コネクタは前記回転軸の軸方向と直交する上下方向において前記相手側コネクタの上方に位置している
コネクタ装置を提供する。
【手続補正４】
【補正対象書類名】明細書
【補正対象項目名】００１３
【補正方法】変更
【補正の内容】
【００１３】
本発明は、第５のコネクタ装置として、第１から第４までのいずれかのコネクタであって、
前記第１解除部は、第１操作部を有しており、
前記第２解除部は、第２操作部を有しており、
前記阻止部は、前記コネクタが前記第１状態にあるときに、前記第１操作部と前記第２操作部の間において前記操作方向と交差するように設けられた梁である
コネクタ装置を提供する。
【手続補正５】
【補正対象書類名】明細書
【補正対象項目名】００２９
【補正方法】変更
【補正の内容】
【００２９】
図２、図９、図１０及び図１１から理解されるように、本実施の形態のハウジング１１０には、基部１４０と、第２解除部１５０と、２つの第２被規制部１６０と、嵌合被規制部（付加的被規制部）１７０とが形成されている。第２解除部１５０は、第２操作方位に操作可能となっている。第２操作方位は、回転軸３２０を中心とする径方向における回転軸３２０から離れる方位である。換言すれば、第２操作方位は、特定円座標系において径方向における回転軸３２０から離れる方位である。より具体的には、本実施の形態において、コネクタ１００が第１状態にあるとき、第２操作方位は後方と一致している。即ち、コネクタ１００が第１状態にあるとき、第１操作方位と、第２操作方位とは一致している。第２解除部１５０は、弾性変形可能な２つの第２バネ部１５２と、第２バネ部１５２に支持される第２操作部１５４とを有している。第２バネ部１５２は、第２被規制部１６０及び嵌合被規制部１７０を支持している。
【手続補正６】
【補正対象書類名】明細書
【補正対象項目名】００４５
【補正方法】変更
【補正の内容】
【００４５】
図１８から理解されるように、コネクタ１００が第４状態にあるとき、リード部１３４は、第１解除部３４０の前面を押し、第１バネ部３４２を弾性変形させている。第１バネ部３４２が弾性変形することにより、第１規制部３３２は、コネクタ１００が第３状態にあるときよりも、少なくとも後方へ移動している。このとき、上下方向において、第１被規制部１３２の上面は、第１規制部３３２の下面よりも上方に位置している。即ち、第１被規制部１３２は第１規制部３３２によって規制されていない。
【手続補正７】
【補正対象書類名】明細書
【補正対象項目名】００５１
【補正方法】変更
【補正の内容】
【００５１】
図１８及び図２６から理解されるように、コネクタ１００第４状態から第１状態へ移動する間に、第１被規制部１３２は、第１規制部３３２を乗り越え、上下方向において第１規制部３３２の下側へ移動する。図２６に示されるように、コネクタ１００が第１状態にあるとき、第１被規制部１３２は、上下方向において第１規制部３３２の下側に位置する。また、図２６から理解されるように、第１被規制部１３２の少なくとも一部は、上下方向に沿って見たとき第１規制部３３２と重複する。これにより、コネクタ１００を第１状態から第２状態へ向かって遷移させようとすると、第１被規制部１３２が第１規制部３３２に突き当り、コネクタ１００は第２状態に遷移しないように規制される。なお、図２６において、第１規制部３３２と第１被規制部１３２との間には隙間が存在する。しかしながら、コネクタ１００が第１状態にあるとき、第１規制部３３２と第１被規制部１３２とが互いに接触するようにしてもよい。そうすれば、コネクタ１００は、第１状態を越えて第２状態に向かって回転することができない。その結果、コネクタ１００の相手側コネクタ３００に対するガタツキを抑えることができる。
【手続補正８】
【補正対象書類名】明細書
【補正対象項目名】００６２
【補正方法】変更
【補正の内容】
【００６２】
図３５から理解されるように、コネクタ１００を第２状態から第３状態に遷移させるには、第２解除部１５０を操作して、第２規制部３５２による第２被規制部１６０の規制を解除する。より具体的には、第２操作部１５４を、特定円座標系において径方向における回転軸３２０から離れる方位へ移動させ、第２バネ部１５２を弾性変形させる。すると、第２規制部３５２による第２被規制部１６０の規制が解除され、コネクタ１００を更に第３状態に向けて回転させることができる。ここで、コネクタ１００の回転動作において径方向における外方向は、前後方向における後方向成分と上下方向における上方向成分とに分けられる。図７、図２３及び図３１から理解されるように、本実施の形態において、第２状態におけるコネクタ１００の位置は、第３状態におけるコネクタ１００の位置よりも第１状態のコネクタ１００の位置にかなり近い位置にあることから、コネクタ１００が第２状態にあるとき、後方向成分は、上方向成分よりもかなり大きい。そのため、第２規制部３５２により第２被規制部１６０が規制された状態で、第２操作部１５４を操作する際には、第２操作部１５４を後方に移動させようとすれば、第２規制部３５２による第２被規制部１６０の規制を解除することができる。これによって、第２状態を越えて第３状態までコネクタ１００を遷移させることができる。コネクタ１００が、第２状態を越えて第３状態まで遷移する間に、嵌合被規制部１７０は嵌合規制部３５４を乗り越えて、第３状態のコネクタ１００の位置の方へ移動する。コネクタ１００が第２状態から第３状態まで遷移する途中で、電源端子２１０は相手側電源端子４１０から切断される。
【手続補正９】
【補正対象書類名】明細書
【補正対象項目名】００６９
【補正方法】変更
【補正の内容】
【００６９】
図２及び図３６から図４０までから理解されるように、コネクタ１００Ａは、ハウジング１１０Ａと、電源端子２１０（図示せず）と、検知端子２３０（図示せず）とを備えている。このうち、電源端子２１０及び検知端子２３０については、上述した第１の実施の形態のコネクタ１００のものと同じ構造を有するものである。従って、これらについては詳細な説明を省略する。
【手続補正１０】
【補正対象書類名】明細書
【補正対象項目名】００７１
【補正方法】変更
【補正の内容】
【００７１】
図３６から図４０までから理解されるように、コネクタ１００Ａが第１状態にあるとき、第１操作部３４４は、ハウジング１１０Ａの開口部１１２から上方へ突き出しているが、上下方向において、相手側ハウジング３１０Ａの阻止部３９０Ａの上縁よりも下にある。よって、意図的な操作が可能である一方、誤った操作を防止できる。
【手続補正１１】
【補正対象書類名】明細書
【補正対象項目名】００７９
【補正方法】変更
【補正の内容】
【００７９】
さらに、上述した実施の形態において、被ガイド部１８０は円弧状の溝であり、相手側ガイド部３８０は突起であったが、本発明はこれに限定されるわけではなく、被ガイド部１８０が突起であり、相手側ガイド部３８０が溝であってもよい。